(57)【特許請求の範囲】
【請求項１】
固定部、
前記固定部に接離する方向へ変位可能な可動部、
前記可動部に設けられており、回転体に当接されることにより前記回転体の回転を制動する摩擦部材、
前記摩擦部材を前記回転体に当接させる方向へ前記可動部を付勢する付勢手段、
前記付勢手段に抗して前記摩擦部材が前記回転体から離れる方向へ前記可動部を変位させる制動力解除手段、及び
前記固定部と前記可動部との間に配置されている緩衝部材
を備え、
前記固定部及び前記可動部の少なくともいずれか一方である緩衝部材保持部には、前記緩衝部材を収容し保持する収容凹部が設けられており、
前記収容凹部の側面の一部には、前記緩衝部材保持部の外部に連通した開口部が設けられており、
前記緩衝部材は、前記可動部の変位方向に交差する方向から前記開口部を通して前記収容凹部に出し入れ可能となっているブレーキ装置。
【請求項２】
前記緩衝部材は、可撓性を有するゴム又は樹脂材で構成されている請求項１載のブレーキ装置。
【請求項３】
可動部の変位方向に交差する方向に前記緩衝部材を押圧して前記緩衝部材を変形させる変形手段をさらに備えている請求項２記載のブレーキ装置。
【請求項４】
前記変形手段は、前記緩衝部材の外周面を押圧して前記緩衝部材を変形させる請求項３記載のブレーキ装置。
【請求項５】
前記緩衝部材の外周面の一部は、前記開口部から突出しており、
前記変形手段は、前記緩衝部材の外周面の前記緩衝部材保持部から突出した部分に当接されている調整ブラケットと、前記調整ブラケットを貫通して前記緩衝部材保持部に螺着されている調整ボルトとを有しており、
前記調整ボルトを締め付けることにより、前記調整ブラケットが前記緩衝部材保持部側へ変位されて前記緩衝部材が変形される請求項４記載のブレーキ装置。
【請求項６】
前記変形手段は、調整ブラケットと、前記調整ブラケットを貫通して前記緩衝部材保持部に螺着されている調整ボルトとを有しており、
前記調整ブラケットには、前記開口部に挿入されて前記緩衝部材の外周面の一部に当接されている突出部が設けられており、
前記調整ボルトを締め付けることにより、前記調整ブラケットが前記緩衝部材保持部側へ変位されて前記突出部により前記緩衝部材が変形される請求項４記載のブレーキ装置。
【請求項７】
固定部、
前記固定部に接離する方向へ変位可能な可動部、
前記可動部に設けられており、回転体に当接されることにより前記回転体の回転を制動する摩擦部材、
前記摩擦部材を前記回転体に当接させる方向へ前記可動部を付勢する付勢手段、
前記付勢手段に抗して前記摩擦部材が前記回転体から離れる方向へ前記可動部を変位させる制動力解除手段、及び
前記固定部と前記可動部との間に配置されている緩衝部材
を備え、
前記固定部及び前記可動部の少なくともいずれか一方である緩衝部材保持部には、前記緩衝部材を保持するホルダが締結具を介して取り付けられており、
前記ホルダは、前記締結具を外すことにより、前記緩衝部材保持部に対して前記可動部の変位方向に交差する方向に出し入れ可能となっているブレーキ装置。
【請求項８】
前記緩衝部材は、可撓性を有するゴム又は樹脂材で構成されている請求項７載のブレーキ装置。
【請求項９】
可動部の変位方向に交差する方向に前記緩衝部材を押圧して前記緩衝部材を変形させる変形手段をさらに備えている請求項８記載のブレーキ装置。
【請求項１０】
前記変形手段は、前記ホルダと、前記緩衝部材保持部に設けられたホルダ装着部と、前記ホルダを前記ホルダ装着部に取り付ける調整ボルトとを有しており、
前記ホルダは、前記緩衝部材を挟持する一対のクランプ部を有しており、
前記クランプ部の先端部間には、隙間が設けられており、
前記ホルダ装着部には、前記クランプ部の先端部が係合するテーパ状の溝が設けられており、
前記調整ボルトを締め付けることにより、前記クランプ部の先端部が前記溝に押し込まれ、前記隙間が小さくなり、前記緩衝部材の外形が縮小される請求項９記載のブレーキ装置。
【請求項１１】
前記変形手段は、前記ホルダと、前記ホルダに設けられている調整ボルトとを有しており、
前記ホルダは、前記緩衝部材を挟持する一対のクランプ部を有しており、
前記クランプ部の先端部間には、隙間が設けられており、
前記調整ボルトは、前記クランプ部の先端部間に渡って設けられており、
前記調整ボルトを締め付けることにより、前記隙間が小さくなり、前記緩衝部材の外形が縮小される請求項９記載のブレーキ装置。
【請求項１２】
かご及び釣合おもりを吊り下げる懸架体が巻き掛けられる駆動シーブを有する回転体、
前記回転体を回転させるモータ、及び
前記回転体の回転を制動するブレーキ装置
を備え、
前記ブレーキ装置は、
固定部、
前記固定部に接離する方向へ変位可能な可動部、
前記可動部に設けられており、回転体に当接されることにより前記回転体の回転を制動する摩擦部材、
前記摩擦部材を前記回転体に当接させる方向へ前記可動部を付勢する付勢手段、
前記付勢手段に抗して前記摩擦部材が前記回転体から離れる方向へ前記可動部を変位させる制動力解除手段、及び
前記固定部と前記可動部との間に配置されている緩衝部材
を有し、
前記固定部及び前記可動部の少なくともいずれか一方である緩衝部材保持部には、前記緩衝部材を収容し保持する収容凹部が設けられており、
前記収容凹部の側面の一部には、前記緩衝部材保持部の外部に連通した開口部が設けられており、
前記緩衝部材は、前記可動部の変位方向に交差する方向から前記開口部を通して前記収容凹部に出し入れ可能となっているエレベータ用巻上機。
【請求項１３】
かご及び釣合おもりを吊り下げる懸架体が巻き掛けられる駆動シーブを有する回転体、
前記回転体を回転させるモータ、及び
前記回転体の回転を制動するブレーキ装置
を備え、
前記ブレーキ装置は、
固定部、
前記固定部に接離する方向へ変位可能な可動部、
前記可動部に設けられており、回転体に当接されることにより前記回転体の回転を制動する摩擦部材、
前記摩擦部材を前記回転体に当接させる方向へ前記可動部を付勢する付勢手段、
前記付勢手段に抗して前記摩擦部材が前記回転体から離れる方向へ前記可動部を変位させる制動力解除手段、及び
前記固定部と前記可動部との間に配置されている緩衝部材
を有し、
前記固定部及び前記可動部の少なくともいずれか一方である緩衝部材保持部には、前記緩衝部材を保持するホルダが締結具を介して取り付けられており、
前記ホルダは、前記締結具を外すことにより、前記緩衝部材保持部に対して前記可動部の変位方向に交差する方向に出し入れ可能となっているエレベータ用巻上機。
【発明の詳細な説明】
【技術分野】
【０００１】
この発明は、固定部と可動部との間に緩衝部材が配置されているブレーキ装置、及びそれを用いたエレベータ用巻上機に関するものである。
【背景技術】
【０００２】
従来のエレベータ用巻上機の電磁ブレーキ装置では、固定鉄心のアーマチュアに対向する面に複数の挿入穴が設けられている。各挿入穴には、アーマチュアの動作音を低減させるゴム製の緩衝部材が挿入されている。緩衝部材は、挿入穴から突出している（例えば、特許文献１参照）。【０００３】
上記のような電磁ブレーキ装置において、緩衝部材が劣化した場合、アーマチュアの動作音が大きくなるという問題がある。例えば、ゴム製の緩衝部材は、高温下で劣化が進行し、小さく硬くなる。その結果、緩衝部材の反力が初期よりも低下し、動作音が大きくなるという事態が発生する。【０００４】
これに対して、緩衝部材を交換することによって動作音の品質を保つ方法も考えられるが、電磁ブレーキ装置の構造又は設置状態によっては、電磁ブレーキ装置の分解が難しく、緩衝部材の交換が困難なことがある。【０００５】
一方、ねじ等により緩衝部材を軸方向に直接押し出す機構を備えた圧縮ばね形電磁ブレーキ装置も提案されている（例えば、特許文献２参照）。
【先行技術文献】
【特許文献】
【０００６】
【特許文献１】特開２００８−１２０５２４号公報
【特許文献２】特開２００５−５０２８３８号公報
【発明の概要】
【発明が解決しようとする課題】
【０００７】
しかし、特許文献２に示された従来の電磁ブレーキ装置では、緩衝部材の劣化が進行して位置調整では対応できなくなり、緩衝部材の交換が必要になると、ブレーキ装置の固定部及び可動部を分解する必要が生じ、手間がかかっていた。【０００８】
この発明は、上記のような課題を解決するためになされたものであり、固定部及び可動部を分解することなく、緩衝部材を容易に交換することができるブレーキ装置、及びそれを用いたエレベータ用巻上機を得ることを目的とする。
【課題を解決するための手段】
【０００９】
この発明に係るブレーキ装置は、固定部、固定部に接離する方向へ変位可能な可動部、可動部に設けられており、回転体に当接されることにより回転体の回転を制動する摩擦部材、摩擦部材を回転体に当接させる方向へ可動部を付勢する付勢手段、付勢手段に抗して摩擦部材が回転体から離れる方向へ可動部を変位させる制動力解除手段、及び固定部と可動部との間に配置されている緩衝部材を備え、固定部及び可動部の少なくともいずれか一方である緩衝部材保持部には、緩衝部材を収容し保持する収容凹部が設けられており、収容凹部の側面の一部には、緩衝部材保持部の外部に連通した開口部が設けられており、緩衝部材は、可動部の変位方向に交差する方向から開口部を通して収容凹部に出し入れ可能となっている。
また、この発明に係るブレーキ装置は、固定部、固定部に接離する方向へ変位可能な可動部、可動部に設けられており、回転体に当接されることにより回転体の回転を制動する摩擦部材、摩擦部材を回転体に当接させる方向へ可動部を付勢する付勢手段、付勢手段に抗して摩擦部材が回転体から離れる方向へ可動部を変位させる制動力解除手段、及び固定部と可動部との間に配置されている緩衝部材を備え、固定部及び可動部の少なくともいずれか一方である緩衝部材保持部には、緩衝部材を保持するホルダが締結具を介して取り付けられており、ホルダは、締結具を外すことにより、緩衝部材保持部に対して可動部の変位方向に交差する方向に出し入れ可能となっている。
また、この発明に係るエレベータ用巻上機は、かご及び釣合おもりを吊り下げる懸架体が巻き掛けられる駆動シーブを有する回転体、回転体を回転させるモータ、及び回転体の回転を制動するブレーキ装置を備え、ブレーキ装置は、固定部、固定部に接離する方向へ変位可能な可動部、可動部に設けられており、回転体に当接されることにより回転体の回転を制動する摩擦部材、摩擦部材を回転体に当接させる方向へ可動部を付勢する付勢手段、付勢手段に抗して摩擦部材が回転体から離れる方向へ可動部を変位させる制動力解除手段、及び固定部と可動部との間に配置されている緩衝部材を有し、固定部及び可動部の少なくともいずれか一方である緩衝部材保持部には、緩衝部材を収容し保持する収容凹部が設けられており、収容凹部の側面の一部には、緩衝部材保持部の外部に連通した開口部が設けられており、緩衝部材は、可動部の変位方向に交差する方向から開口部を通して収容凹部に出し入れ可能となっている。
また、この発明に係るエレベータ用巻上機は、かご及び釣合おもりを吊り下げる懸架体が巻き掛けられる駆動シーブを有する回転体、回転体を回転させるモータ、及び回転体の回転を制動するブレーキ装置を備え、ブレーキ装置は、固定部、固定部に接離する方向へ変位可能な可動部、可動部に設けられており、回転体に当接されることにより回転体の回転を制動する摩擦部材、摩擦部材を回転体に当接させる方向へ可動部を付勢する付勢手段、付勢手段に抗して摩擦部材が回転体から離れる方向へ可動部を変位させる制動力解除手段、及び固定部と可動部との間に配置されている緩衝部材を有し、固定部及び可動部の少なくともいずれか一方である緩衝部材保持部には、緩衝部材を保持するホルダが締結具を介して取り付けられており、ホルダは、締結具を外すことにより、緩衝部材保持部に対して可動部の変位方向に交差する方向に出し入れ可能となっている。
【発明の効果】
【００１０】
この発明のブレーキ装置及びエレベータ用巻上機は、収容凹部の側面の一部には、緩衝部材保持部の外部に連通した開口部が設けられており、緩衝部材は、可動部の変位方向に交差する方向から開口部を通して収容凹部に出し入れ可能となっているので、固定部及び可動部を分解することなく、緩衝部材を容易に交換することができる。
また、この発明のブレーキ装置及びエレベータ用巻上機は、緩衝部材を保持するホルダが緩衝部材保持部に締結具を介して取り付けられており、ホルダは、締結具を外すことにより、緩衝部材保持部に対して可動部の変位方向に交差する方向に出し入れ可能となっているので、固定部及び可動部を分解することなく、緩衝部材を容易に交換することができる。
【図面の簡単な説明】
【００１１】
【図１】この発明の実施の形態１によるエレベータを示す斜視図である。
【図２】図１のエレベータ用巻上機の軸線に沿う概略の断面図である。
【図３】図２の磁石支持部の軸線に直交する断面図である。
【図４】図３とは異なるタイプのブレーキ装置の例を示す断面図である。
【図５】図３又は図４の固定鉄心を示す正面図である。
【図６】図５の緩衝部材を交換する様子を示す正面図である。
【図７】図５の固定鉄心の一部を拡大して示す正面図である。
【図８】図７のＶＩＩＩ−ＶＩＩＩ線に沿う断面図である。
【図９】図８の緩衝部材が圧縮される前の状態を示す断面図である。
【図１０】図７の緩衝部材の変形例を示す正面図である。
【図１１】この発明の実施の形態２によるブレーキ装置の固定鉄心の一部を拡大して示す正面図である。
【図１２】この発明の実施の形態３によるブレーキ装置の要部を示す正面図である。
【図１３】図１２のブレーキ装置の要部を示す斜視図である。
【図１４】図１２のホルダを示す斜視図である。
【図１５】この発明の実施の形態４によるブレーキ装置の要部を示す正面図である。
【発明を実施するための形態】
【００１２】
以下、この発明を実施するための形態について、図面を参照して説明する。
実施の形態１．
図１はこの発明の実施の形態１によるエレベータを示す斜視図であり、昇降路内を透視して示している。図において、昇降路１の底部には、かご緩衝器台２及び釣合おもり緩衝器台３が固定されている。かご緩衝器台２上には、かご緩衝器（図示せず）が設置される。釣合おもり緩衝器台３上には、釣合おもり緩衝器（図示せず）が設置される。
【００１３】
昇降路１内には、一対のかごガイドレール４ａ，４ｂと、一対の釣合おもりガイドレール５ａ，５ｂとが設置されている。かごガイドレール４ａ，４ｂの下端部は、かご緩衝器台２上に位置している。釣合おもりガイドレール５ａ，５ｂの下端部は、釣合おもり緩衝器台３上に位置している。
【００１４】
かご６は、かごガイドレール４ａ，４ｂに案内されて昇降路１内を昇降される。釣合おもり７は、釣合おもりガイドレール５ａ，５ｂに案内されて昇降路１内を昇降される。釣合おもり７は、かご６と同じ高さに位置するときにかご６の背面に対向するように、かご６の後方に配置されている。
【００１５】
昇降路１内の下部には、かご６及び釣合おもり７を昇降させるエレベータ用巻上機８が設置されている。エレベータ用巻上機８としては、軸方向寸法が軸方向に直角な方向の寸法よりも小さい薄型巻上機が用いられている。
【００１６】
昇降路１の頂部には、Ｌ字形の返し車梁９が設置されている。返し車梁９は、かご返し車梁１０と、かご返し車梁１０の一端部に直角に連結された釣合おもり返し車梁１１とを有している。
【００１７】
かご返し車梁１０には、一対のかご返し車１２ａ，１２ｂが支持されている。釣合おもり返し車梁１１には、釣合おもり返し車１３が支持されている。
【００１８】
かご６の下部には、一対のかご吊り車１４ａ，１４ｂが設けられている。釣合おもり７の上部には、釣合おもり吊り車１５が設けられている。
【００１９】
かご６及び釣合おもり７は、懸架体である複数本（図では１本のみ示す）の主ロープ１６により昇降路１内に吊り下げられている。
【００２０】
かごガイドレール４ｂの上端部近傍と、釣合おもりガイドレール５ｂの上端部近傍との間には、綱止め梁１７が水平に固定されている。綱止め梁１７には、かご側綱止め部（図示せず）が設けられている。釣合おもり返し車梁１１には、釣合おもり側綱止め部１８が設けられている。
【００２１】
主ロープ１６は、かご側綱止め部に接続された第１の端部と、釣合おもり側綱止め部１８に接続された第２の端部とを有している。主ロープ１６は、第１の端部側から順に、かご吊り車１４ａ，１４ｂ、かご返し車１２ａ，１２ｂ、エレベータ用巻上機８、釣合おもり返し車１３、及び釣合おもり吊り車１５に巻き掛けられている（２：１ローピング）。
【００２２】
最下階近傍の昇降路壁には、制御盤１９が設置されている。制御盤１９には、かご６の運行を制御するエレベータ制御装置が設けられている。また、昇降路壁とかご６との間には、制御ケーブル２０が吊り下げられている。
【００２３】
図２は図１のエレベータ用巻上機８の軸線に沿う概略の断面図である。ハウジング２１は、平板状の軸支持部２１ａと、軸支持部２１ａから一側へ突出した円筒状のステータ支持部２１ｂとを有している。軸支持部２１ａの中央には、水平な固定軸２２が片持ち支持されている。
【００２４】
固定軸２２には、一対の軸受２３を介して、回転体２４が回転可能に支持されている。軸受２３は、固定軸２２の軸方向に互いに間隔をおいて配置されている。回転体２４には主ロープ１６が巻き掛けられる円筒状の駆動シーブ２４ａと、ステータ支持部２１ｂの内周面に対向する円筒状の磁石支持部２４ｂとが一体に設けられている。
【００２５】
駆動シーブ２４ａの外周面には、主ロープ１６が挿入される複数のロープ溝が設けられている。ステータ支持部２１ｂは、回転体２４のハウジング２１側の軸方向端部に設けられている。磁石支持部２４ｂは、ステータ支持部２１ｂと同軸に配置され、ステータ支持部２１ｂにより囲繞されている。また、磁石支持部２４ｂの外径は、駆動シーブ２４ａの径よりも大きい。
【００２６】
ステータ支持部２１ｂの内周面には、コイルが巻回されたステータ２５が固定されている。磁石支持部２４ｂの外周面には、ステータ２５に対向する複数個の永久磁石２６が周方向に等間隔をおいて固定されている。これらのステータ２５及び永久磁石２６によりモータ２７が構成されており、モータ２７の駆動力により回転体２４が回転され、かご６及び釣合おもり７が昇降される。
【００２７】
図３は図２の磁石支持部２４ｂの軸線に直交する断面図である。図２では省略したが、磁石支持部２４ｂの内側には、回転体２４の回転を制動する一対のブレーキ装置３１が収容されている。ブレーキ装置３１は、互いに同様の構造を有しており、かつ互いに逆向きに配置されている。
【００２８】
各ブレーキ装置３１は、固定部としての固定鉄心（フィールド）３２、可動部としての可動鉄心（アーマチュア）３３、摩擦部材としてのブレーキシュー３４、付勢手段としての複数のブレーキばね３５、及び制動力解除手段としての電磁コイル３６を有している。
【００２９】
この例では、２つのブレーキ装置３１の固定鉄心３２が一体で構成されている。可動鉄心３３は、固定鉄心３２に接離する方向（図３の左右方向）へ変位可能になっている。ブレーキシュー３４は、一対の連結ボルト３７を介して可動鉄心３３に連結されており、可動鉄心３３と一体に変位する。
【００３０】
また、ブレーキシュー３４は、制動面である磁石支持部２４ｂの内周面に当接されることにより回転体２４の回転を制動、又は回転体２４の静止状態を保持する。即ち、磁石支持部２４ｂは、ブレーキドラムを兼ねている。ブレーキシュー３４の磁石支持部２４ｂに当接する部分には、複数のブレーキライニング３８が固定されている。
【００３１】
ブレーキばね３５は、ブレーキシュー３４を制動面に当接させる方向へ可動鉄心３３を付勢する。電磁コイル３６は、励磁されることにより、ブレーキばね３５のばね力に抗して、ブレーキシュー３４が制動面から離れる方向へ可動鉄心３３を変位させる。
【００３２】
即ち、電磁コイル３６が励磁されることにより、電磁力が発生し、可動鉄心３３が固定鉄心３２に吸引され、ブレーキシュー３４が制動面から離されて、制動力が解除される。また、電磁コイル３６への通電が遮断されることにより、ブレーキばね３５のばね力でブレーキシュー３４が制動面に押し付けられる。
【００３３】
固定鉄心３２と可動鉄心３３との間には、可動鉄心３３の動作音を低減する複数の緩衝部材３９が配置されている。各緩衝部材３９は、金属ばねを除く、ゴム、軟性プラスチック又は樹脂等の可撓性材料により構成されている。
【００３４】
図４は図３とは異なるタイプのブレーキ装置の例を示す断面図である。但し、基本的な構成は図３のブレーキ装置３１と同様であり、図３のブレーキ装置３１の各部に対応する部分には図３と同一の符号を付している。
【００３５】
この例では、一対のブレーキ装置が回転体２４の外側に配置されている。また、磁石支持部２４ｂは、ステータ支持部２１ｂの径方向外側に配置されている。そして、ステータ２５がステータ支持部２１ｂの外周面に固定されており、永久磁石２６が磁石支持部２４ｂの内周面に固定されている。
【００３６】
図５は図３又は図４の固定鉄心３２を示す正面図である。緩衝部材３９の外形は、中空の部材、具体的には円筒状である。固定鉄心３２には、複数（この例では４つ）の収容凹部３２ａが設けられている。緩衝部材３９は、対応する収容凹部３２ａに収容され保持されている。即ち、実施の形態１の緩衝部材保持部は、固定鉄心３２である。
【００３７】
緩衝部材３９の可動鉄心３３側の端部は、固定鉄心３２の可動鉄心３３に対向する面よりも可動鉄心３３側へ突出している。各収容凹部３２ａの側面の一部には、固定鉄心３２の外部に連通した開口部３２ｂが設けられている。緩衝部材３９に外力を加えない状態では、緩衝部材３９の外周面の一部が開口部３２ｂから突出している。
【００３８】
緩衝部材３９は、可動鉄心３３の変位方向（図５の紙面に垂直な方向）に交差する方向（図５の左右方向）から開口部３２ｂを通して収容凹部３２ａに出し入れ可能となっている。即ち、緩衝部材３９は、弾性変形させることにより、固定鉄心３２の側面から収容凹部３２ａに出し入れ可能となっている。
【００３９】
固定鉄心３２には、可動鉄心３３の変位方向に交差する方向に緩衝部材３９を押圧して緩衝部材３９を変形させる複数の変形手段４０が設けられている。各変形手段４０は、緩衝部材３９の外周面の固定鉄心３２から突出した部分に当接されている調整ブラケット４１と、調整ブラケット４１を貫通して固定鉄心３２の側面に螺着されている一対の調整ボルト４２とを有している。
【００４０】
調整ボルト４２の軸方向（図５の左右方向）は、可動鉄心３３の変位方向（図５の紙面に垂直な方向）に直交する方向である。緩衝部材３９は、調整ブラケット４１により径方向外側から圧縮されている。緩衝部材３９の圧縮量は、調整シム４３又は調整ナット４４を用いて調整してもよい。調整シム４３又は調整ナット４４は、調整ブラケット４１と固定鉄心３２との間で調整ボルト４２に通される。
【００４１】
調整ボルト４２を締め付けることにより、調整ブラケット４１が固定鉄心３２側へ変位されて緩衝部材３９が変形される。即ち、変形手段４０は、緩衝部材３９の外周面を押圧して緩衝部材３９の外径を縮小させる。
【００４２】
図６は図５の緩衝部材３９を交換する様子を示す正面図である。調整ボルト４２を緩めて調整ブラケット４１を固定鉄心３２から取り外すことにより、開口部３２ｂが開放される。これにより、固定鉄心３２及び可動鉄心３３を分解することなく、開口部３２ｂを通して緩衝部材３９を容易に交換することができる。
【００４３】
通常時には、調整ブラケット４１が固定鉄心３２の側面に取り付けられていることにより、開口部３２ｂからの緩衝部材３９の抜けが防止されている。即ち、調整ブラケット４１は、緩衝部材３９のストッパとしても機能している。
【００４４】
また、図７は図５の固定鉄心３２の一部を拡大して示す正面図、図８は図７のＶＩＩＩ−ＶＩＩＩ線に沿う断面図、図９は図８の緩衝部材３９が圧縮される前の状態を示す断面図である。緩衝部材３９は、調整ブラケット４１により圧縮されると湾曲される。これにより、固定鉄心３２の可動鉄心３３に対向する面からの緩衝部材３９の突出量及びばね係数が変化される。
【００４５】
従って、調整ボルト４２の締付量を調整することにより、緩衝部材３９を交換することなく、緩衝部材３９の反力特性を調整することができ、緩衝部材３９の交換頻度を下げることができる。変形手段４０による調整範囲を超えた場合には、緩衝部材３９を交換する必要が生じるが、その場合も上記のように交換作業が容易である。
【００４６】
なお、実施の形態１では、円筒状の緩衝部材を示したが、これに限定されるものではなく、例えば、Ｏリングのような断面円形、図１０に示すような中実形状、又は球状としてもよい。中空の緩衝部材は、中実のものに比べて反力が小さくなるが、ばね乗数を小さくすることが可能であり、調整の感度を小さくし、反力調整を容易にすることができる。
【００４７】
実施の形態２．
次に、図１１はこの発明の実施の形態２によるブレーキ装置３１の固定鉄心３２の一部を拡大して示す正面図である。この例では、外力を受けていない状態で緩衝部材３９の全体が収容凹部３２ａ内に収容されている。即ち、緩衝部材３９が収容凹部３２ａの開口部３２ｂよりも奥に配置されている。これに対して、調整ブラケット４１には、開口部３２ｂに挿入されて緩衝部材３９の外周面の一部に当接されている突出部４１ａが設けられている。
【００４８】
調整ボルト４２を締め付けることにより、調整ブラケット４１が固定鉄心３２側へ変位されて突出部４１ａにより緩衝部材３９が変形される。他の構成は、実施の形態１と同様である。
【００４９】
このようなブレーキ装置３１でも、固定鉄心３２及び可動鉄心３３を分解することなく、開口部３２ｂを通して緩衝部材３９を容易に交換することができる。また、緩衝部材３９を交換することなく、緩衝部材３９の反力特性を調整することができる。
【００５０】
なお、実施の形態２においても、緩衝部材は円筒状に限定されるものではなく、例えば、Ｏリングのような断面円形、図１０に示すような中実形状、又は球状としてもよい。
【００５１】
実施の形態３．
次に、図１２はこの発明の実施の形態３によるブレーキ装置の要部を示す正面図、図１３は図１２のブレーキ装置の要部を示す斜視図である。実施の形態３の変形手段５０は、緩衝部材３９を保持するホルダ５１と、固定鉄心３２に設けられたホルダ装着部３２ｃと、ホルダ５１をホルダ装着部３２ｃに取り付ける締結具としての一対の調整ボルト５２とを有している。
【００５２】
ホルダ５１は、緩衝部材３９を挟持する一対のクランプ部５１ａ，５１ｂを有している。クランプ部５１ａ，５１ｂの先端部間には、隙間５１ｃが設けられている。即ち、ホルダ５１には、図１４に示すように、緩衝部材３９の外周面に接するＣ字形の内周面５１ｄが形成されている。
【００５３】
ホルダ装着部３２ｃには、クランプ部５１ａ，５１ｂの先端部が係合するテーパ状の溝３２ｄが設けられている。クランプ部５１ａ，５１ｂの先端部の形状は、溝３２ｄの形状に対応した楔状となっている。
【００５４】
調整ボルト５２は、ホルダ５１を貫通して、固定鉄心３２の側面に設けられたねじ穴（図示せず）に螺着されている。調整ボルト５２の軸方向（図１２の左右方向）は、可動鉄心３３の変位方向（図１２の紙面に垂直な方向）に直交する方向である。ホルダ５１は、調整ボルト５２を外すことにより、固定鉄心３２に対して可動鉄心３３の変位方向に交差する方向（図１２の左右方向）に出し入れ可能となっている。
【００５５】
また、調整ボルト５２を締め付けることにより、ホルダ５１が図１２の右方へ移動され、クランプ部５１ａ，５１ｂの先端部が溝３２ｄに押し込まれる。これにより、隙間５１ｃが小さくなり、緩衝部材３９の外形が縮小される。即ち、変形手段５０は、緩衝部材３９の外周面を押圧して緩衝部材３９の外径を縮小させる。これにより、緩衝部材３９の軸方向寸法が大きくなる。他の構成は、実施の形態１と同様である。
【００５６】
このようなブレーキ装置３１では、緩衝部材３９がホルダ５１に保持されており、ホルダ５１が固定鉄心３２に対して可動鉄心３３の変位方向に交差する方向に出し入れ可能となっているため、固定鉄心３２及び可動鉄心３３を分解することなく、緩衝部材３９を容易に交換することができる。
【００５７】
また、調整ボルト５２の締付量を調整することにより、緩衝部材３９を交換することなく、緩衝部材３９の反力特性を調整することができる。即ち、緩衝部材３９の突出量だけでなく、ばね係数も調整することができる。
【００５８】
実施の形態４．
次に、図１５はこの発明の実施の形態４によるブレーキ装置の要部を示す正面図である。実施の形態４の変形手段６０は、緩衝部材３９を保持するホルダ６１と、ホルダ６１に設けられている調整ボルト６２と、ホルダ６１を固定鉄心３２の可動鉄心３３に対向する面に固定する締結具としての固定ボルト６３とを有している。
【００５９】
ホルダ６１は、緩衝部材３９を挟持する一対のクランプ部６１ａ，６１ｂを有している。クランプ部６１ａ，６１ｂの先端部間には、隙間６１ｃが設けられている。即ち、ホルダ６１には、緩衝部材３９の外周面に接するＣ字形の内周面６１ｄが形成されている。
【００６０】
調整ボルト６２は、クランプ部６１ａ，６１ｂの先端部間に渡って設けられている。また、調整ボルト６２は、クランプ部６１ａの先端部を貫通して、クランプ部６１ｂの先端部に設けられたねじ孔に螺着されている。
【００６１】
調整ボルト６２の軸方向（図１５の上下方向）は、可動鉄心３３の変位方向（図１５の紙面に垂直な方向）に直交する方向である。固定ボルト６３の軸方向は、可動鉄心３３の変位方向に平行である。
【００６２】
また、固定鉄心３２の可動鉄心３３に対向する面から、緩衝部材３９の可動鉄心３３側の端部のみが突出するように、固定鉄心３２には、ホルダ６１を収容する凹部が設けられている。さらに、クランプ部６１ａ，６１ｂの先端部及び調整ボルト６２は、固定鉄心３２及び可動鉄心３３を分解せずに調整ボルト６２の操作が行えるように、固定鉄心３２の側面よりも外側に突出している。
【００６３】
調整ボルト６２を締め付けることにより、隙間６１ｃが小さくなり、緩衝部材３９の外形が縮小される。即ち、変形手段６０は、緩衝部材３９の外周面を押圧して緩衝部材３９の外径を縮小させる。これにより、緩衝部材３９の軸方向寸法が大きくなる。
【００６４】
可動鉄心３３の固定ボルト６３に対向する部分には、固定ボルト６３を着脱するための貫通孔が設けられている。貫通孔を通して固定ボルト６３を取り外すことにより、ホルダ６１は、固定鉄心３２に対して可動鉄心３３の変位方向に交差する方向（図１５の左右方向）に出し入れ可能となっている。他の構成は、実施の形態１と同様である。
【００６５】
このようなブレーキ装置３１では、緩衝部材３９がホルダ６１に保持されており、ホルダ６１が固定鉄心３２に対して可動鉄心３３の変位方向に交差する方向に出し入れ可能となっているため、固定鉄心３２及び可動鉄心３３を分解することなく、緩衝部材３９を容易に交換することができる。
【００６６】
また、調整ボルト６２の締付量を調整することにより、緩衝部材３９を交換することなく、緩衝部材３９の反力特性を調整することができる。即ち、緩衝部材３９の突出量だけでなく、ばね係数も調整することができる。
【００６７】
なお、実施の形態４では、調整ボルト６２をクランプ部６１ｂのねじ孔に螺着したが、クランプ部６１ａ，６１ｂの両方を貫通した調整ボルト６２の先端部に調整ナットを螺着してもよい。
また、実施の形態３、４では、円筒状の緩衝部材を示したが、これに限定されるものではなく、例えば、Ｏリングのような断面円形、中実形状、又は球状の緩衝部材でもよい。
さらに、実施の形態１〜４では、固定鉄心（固定部）側に緩衝部材を配置したが、可動鉄心（可動部）側に配置してもよい。即ち、緩衝部材保持部は、可動部でもよい。
【００６８】
さらにまた、エレベータ用巻上機に設けられるブレーキ装置の個数は特に限定されない。
また、エレベータ用巻上機の構造は、図２の例に限定されない。例えば、エレベータ用巻上機は、薄型巻上機でなくてもよい。
さらに、この発明は、緩衝部材が固定部と可動部との間に配置されているブレーキ装置であれば、ディスクブレーキにも適用できる。
【００６９】
さらにまた、エレベータ全体の機器のレイアウト及びローピング方式等は、図１の例に限定されるものではない。
また、懸架体はベルトであってもよい。
さらに、この発明は、例えば機械室を持つエレベータ、ダブルデッキエレベータ、又はワンシャフトマルチカー方式のエレベータなど、種々のタイプのエレベータに適用できる。
さらにまた、この発明は、エレベータ用巻上機以外のブレーキ装置にも適用できる。
【図１】
0005911042.tif 000002
【図２】
0005911042.tif 000003
【図３】
0005911042.tif 000004
【図４】
0005911042.tif 000005
【図５】
0005911042.tif 000006
【図６】
0005911042.tif 000007
【図７】
0005911042.tif 000008
【図８】
0005911042.tif 000009
【図９】
0005911042.tif 000010
【図１０】
0005911042.tif 000011
【図１１】
0005911042.tif 000012
【図１２】
0005911042.tif 000013
【図１３】
0005911042.tif 000014
【図１４】
0005911042.tif 000015
【図１５】
0005911042.tif 000016